(57)【要約】      （修正有）【課題】挿着した指と隣接する指との間に装飾部を位置して嵌め、指間から可愛らしく覗かせてアクセントを手の甲に与え、しかもイヤリングのピアスを指輪の装飾台に挿着して種々異なる装飾部の指輪として提供する。【解決手段】リング２の外周部２ａの一箇所から突状する装飾台３に宝石４ｂなどの装飾部を設けた指輪１において、装飾台３の軸芯５の方向をリング２の軸芯６の方向に一致するものとし、装飾部４を設けた装飾台３をリング２の外周部２ａの接線方向に傾斜して設け、さらに、装飾部４の中央部４ａの一部の宝石４ｂや装飾体４ｃをピン８の頭部に形成してピアスのイヤリング用の装飾部とし、装飾台３の軸芯からリング２の軸芯６に貫通する細孔９を設け、この細孔９に装飾部を有するピアスのピンを挿通してピアスのピンの先端部の凹陥部１０に細孔９内の突部９ａをクリック状に嵌合して係止せしめて形成した指輪１。【選択図】図１
0003136946.tif 000002
【実用新案登録請求の範囲】
【請求項１】
リング２の外周部２ａの一箇所に具備する突状の装飾台３に宝石４ｂあるいは装飾体４ｃからなる装飾部４を設けた指輪１において、装飾台３の軸芯５の方向をリング２の軸芯６の方向に一致するものとして該装飾部４を設けた装飾台３をリング２の外周部２ａの接線方向に傾斜して設けたことを特徴とする指輪１。
【請求項２】
装飾部４はその中央部４ａの一部の宝石４ｂあるいは装飾体４ｃを細棒からなるピン８の頭部８ａに形成してピアス７のイヤリング用の装飾部８とし、装飾台３の軸芯５からリング２の軸芯６に貫通する細孔９を設け、これらの細孔９内に上記の装飾部４を有するピアス７の細棒からなるピン８を挿通してピアス７の細棒からなるピン８の先端部８ｂに設けた凹陥部１０に細孔９内に形成の突部９ａをクリック状に嵌合して係止せしめて形成したことを特徴とする請求項１に記載の指輪１。
【考案の詳細な説明】
【技術分野】
【０００１】
この考案は、指に嵌める指輪に関し、特に、指輪を嵌めた場合に、指輪の宝石あるいは装飾体（以下、「装飾部」という。）の部分が隣りあう指同士の間に位置して嵌められているように見えるものとし、さらに耳を装飾するピアスをこの指輪の装飾部の一部とすることができる指輪に関する。
【背景技術】
【０００２】
従来、指輪はリングを指に嵌めてリングに有する宝石などを手の甲側の指の上面側に位置させて、装飾するものとして使用されている。これらの指輪は主として宝石や装飾の形状やその取付け方法、あるいはリング自体の形状などをデザインするものであった。
しかし、高価な指輪を多数所有するのは大変であり、また、長年の使用で指に嵌めることに飽きてしまうなどがあった。そこで、例えば、貴金属からなるリング部はそのままにして、宝石の部分のみを取り替え自在としたものが、種々考案されている。
【０００３】
例えば、指に挿脱させる環体の一部をＣ状に切欠いて切欠部とし、この切欠部の内側から挿脱可能に装飾体を嵌着させ、装飾体を交換可能とするものがある（例えば、特許文献１参照。）。このものは指輪としての用い方は慣用の指輪と同様に取付指の表側に取り付けるものであり、またピアスなどは利用できるものではなかった。
【０００４】
同様に、装飾体の周囲の同一平面に十字状のねじ孔を向けてこのねじ孔にリング体の開口端に設けたねじを螺合して取り替え可能にした指輪が提案されている（例えば、特許文献２参照。）。このものは用い方は上記の慣用の指輪のものと同様で取付指の表側に取り付けるものであり、さらに係止の仕方がねじ止めするものであるので、ピアスのピンを有するものはそのままでは使用できなかった。
【０００５】
リングに有する凹状に開口する支持部材の凹状部の側部内壁面に凹状溝を設け、該溝に嵌入するバネ棒を宝石を有する回転コマを軸支して交換可能とした指輪などの支持体が提案されている（例えば、特許文献４参照。）。しかし、このものは、交換する回転駒にバネ棒を挿通する孔を設けてバネ棒を取り付ける必要があり、ピアスをそのままで用いることはできなかった。また、指輪としての使用方法も格別ものは何ら示されていないもので、取付指の表側に取り付けるものである。
【０００６】
リングの左右の開口端部を揺動体とし、この揺動体間にスライド自在に装飾体を嵌合させて取り替え自在とした指輪が提案されている（例えば、特許文献５参照。）。このものは、指輪としての使用方法も格別のものは何ら示されていないもので取付指の表側に取り付ある。また、ピンを有するピアスは全く示されていない。
【０００７】
【特許文献１】特開２００３−２１０２２０号公報
【特許文献２】特開２００３−１３５１１３号公報
【特許文献３】特開２００３−２９９５１２号公報
【特許文献４】特開平９−２２０１０６号公報
【特許文献５】特開２００３−１１６０５号公報
【考案の開示】
【考案が解決しようとする課題】
【０００８】
本願考案は、指に挿着した指輪を、通常の位置である甲側の表面から指の側部にずらし、隣接する指の側部との間に装飾部が位置するようにしたとき、手の甲とこの指輪の装飾部の上面を平行になるものとして、指輪の宝石などの装飾部が指の間から可愛らしく覗いていて見える状態とし、従来にないアクセントを手の甲に与え、しかも、ピアス式のイヤリングを指輪の装飾台に挿着することで指輪を種々異なる装飾部に変更できるものとした指輪を提供することである。
【課題を解決するための手段】
【０００９】
上記の課題を解決するための本考案の手段は、請求項１の手段では、先ず、リング２の外周部２ａの一箇所に突状の装飾台３を設け、この一箇所に具備する突状の装飾台３に宝石４ｂあるいは貴金属などの装飾体４ｃからなる装飾部４を設けて指輪１とする。この装飾部４を有する指輪１において、装飾台３の軸芯５の方向をリング２の軸芯６の方向に一致するものとして装飾部４を設けた装飾台３をリング２の外周部２ａの接線方向に傾斜して設けたことを特徴とする指輪１である。
【００１０】
請求項２の手段では、装飾部４はその中央部４ａの一部の宝石４ｂあるいは装飾体４ｃを細棒からなるピン８の頭部８ａに形成してピアス７のイヤリング用の装飾部８とし、装飾台３の軸芯５からリング２の軸芯６に貫通する細孔９を設け、これらの細孔９内に上記の装飾部４を有するピアス７の細棒からなるピン８を挿通してピアス７の細棒からなるピン８の先端部８ｂに設けた凹陥部１０に細孔９の内部に形成の突部９ａをクリック状に嵌合して係止せしめて形成したことを特徴とする請求項１の手段の指輪１である。
【考案の効果】
【００１１】
本考案は上記の手段に形成されているので、第１の手段の考案は、装飾台がリングの外周に斜めに設けられているので、指輪を指に挿着した時に挿着した指とその隣の指との指間の凹部に宝石や装飾体からなる装飾部が手の甲の面に平行な装飾面となって収まることができるので、装飾部が手の甲の外に仰々しく現れることなく、従って指輪を嵌めた手を可愛らしくみせる。さらに第２の手段の考案は、上記の指輪で装飾台がリングの外周に斜めに設けられているので、装飾台の軸芯とリングの軸芯が一致した直線となり、この両者の軸芯に細孔を開口することで装飾台上の装飾部の中心部分を取り外し自在の細棒からなるピンを挿入可能とし、このピンをピアス式のイヤリングのピンとしても、ピアスのピンがリングの外に現れないので安全に自在に指輪を挿着でき、さらに、手持ちのピアスを指輪の装飾部の中心部に挿通して取り換えることで、指輪の雰囲気を自在に変えることができるなど、本考案は従来にない優れた効果を奏するものである。
【考案を実施するための最良の形態】
【００１２】
図面を参照して、本考案の実施の形態を以下に説明する。図１は、本考案の指輪１の側面図である。指輪１はリング２などの本体の部分を金やプラチナなどの貴金属から形成する。図１の（ａ）に見られるように、このリング２の外周部２ａの一箇所からリング２の接線方向２ｃの外方に向けて装飾台３が形成されている。この装飾台３の上部の中央部４ａには宝石４ｂや装飾体４ｃからなる装飾部４となっている。図１の（ｂ）に断面で示すように装飾台３の中央部４ａの軸芯５に形成の細孔９には、リング２の接線方向２ｃにリング２内に軸芯６に延びる細孔９が一体に設けられており、この細孔９にピアス７のピン８が挿通されている。
【００１３】
図２は、装飾台３上の装飾部４の中央部４ａからピアス７のピン８を抜きさって装飾台３の軸芯５に形成の細孔９を見せている。図３では、装飾台３の装飾部４は装飾台３を形状化して形成の装飾体４ｃのみからなるが、この部分にも宝石４ｂを散りばめることもできることはいうまでもない。
【００１４】
一方、ピアス７は、図３に示すように、ピン８の頭部８ａに宝石４ｂや装飾体４ｃを有する装飾部４の一部を形成している。従って、このピアス７を装飾台３の細孔９に挿着することで、装飾台３上の装飾部４は中央部４ａも含めて上面全体が宝石４ｂや装飾体４ｃの装飾部４で飾られる。ところで、このピアス７のピン８の先端部８ｂには環状の凹陥部１０を有し、細孔９から内部に突出する突部９ａが凹陥部１０にクリックして嵌合により係止されるものとなっている。従って、ピアス７の部分を装飾台３から抜き取るときは、装飾台３を摘んで少し力を加えて引抜くと容易に引き抜けるが、自然には抜け落ちることはない。
【００１５】
図４は、本考案の指輪１を指に嵌めた手の甲部１１を示す図である。この図に示すように指輪１を小指１２に嵌めるとき、指輪１の装飾部４を有する装飾台３の軸心５の方向を手の甲部１１に垂直にして嵌め、装飾台３を小指１２と薬指１３の指間１４に位置するものとすると、図に示すように、装飾部４の上面が手の甲部１１と平行になり、あまり突出することなく収まって可愛く見え、かつ、外部へのひかかりが大幅に減少されて安定する。
【図面の簡単な説明】
【００１６】
【図１】本考案の指輪を示し、（ａ）はその側面図であり、（ｂ）はその一部断面で示す側面図である。
【図２】中央の装飾部であるピアスを除去して示す本考案の指輪の斜視図である。
【図３】中央の装飾部であるピアスを示す側面図である。
【図４】本考案の指輪を小指に嵌め装飾部を小指と薬指の間に位置させた状態を示す図である。
【符号の説明】
【００１７】
１  指輪
２  リング
２ａ  外周部
２ｂ  装飾
２ｃ  接線方向
３  装飾台
４  装飾部
４ａ  中央部
４ｂ  宝石
４ｃ  装飾体
５  軸芯（装飾台の）
６  軸芯（リングの）
７  ピアス
８  ピン（細棒からなる）
８ａ  頭部
８ｂ  先端部
９  細孔
９ａ  突部
１０  凹陥部
１１  手の甲部
１２  小指
１３  薬指
１４  指間
【図１】
0003136946.tif 000003
【図２】
0003136946.tif 000004
【図３】
0003136946.tif 000005
【図４】
0003136946.tif 000006